(57)【要約】【課題】低電圧検出によるシャットダウン後も、位置検索を可能にした構成を持つ携帯電話機の提供。【解決手段】携帯電話機において、電池電圧の低下による前記携帯電話機のシャットダウン後、特殊電源立上げを開始させることが可能な入力部（１）と、前記入力部によって前記特殊電源立上げが開始されると、遭難信号を生成する遭難信号生成部（２、３）と、前記遭難信号を、該遭難信号以外の送信信号の送信パスとは別のパスを介して送信波として送信する送信部とを有する。前記送信部は、前記遭難信号を低周波信号に周波数変換する周波数変換部を含み、前記低周波信号を前記別のパスを介して前記送信波として送信する。【選択図】　　　　図１
2004078455.tif 000002
【特許請求の範囲】
【請求項１】
携帯電話機において、電池電圧の低下による前記携帯電話機のシャットダウン後、特殊電源立上げを開始させることが可能な入力部（１）と、
前記入力部によって前記特殊電源立上げが開始されると、遭難信号を生成する遭難信号生成部（２、３）と、
前記遭難信号を、該遭難信号以外の送信信号の送信パス（１８、１５、１７）とは別のパス（１８、１９、１７）を介して送信波として送信する送信部とを有することを特徴とする携帯電話機。
【請求項２】
請求項１に記載の携帯電話機において、
前記入力部は、前記電池電圧の低下後であって前記携帯電話機のシャットダウンが行われる前であっても、前記携帯電話機に前記電池電圧の低下が生じていないときであっても、前記特殊電源立上げを開始させることが可能であることを特徴とする携帯受信機。
【請求項３】
請求項１に記載の携帯電話機において、
前記送信部は、前記遭難信号を低周波信号に周波数変換する周波数変換部（１３）を含み、前記低周波信号を前記別のパスを介して前記送信波として送信することを特徴とする携帯電話機。
【請求項４】
請求項１に記載の携帯電話機において、
前記送信パスは、前記送信信号を増幅するパワーアンプ部（１５）を含むことを特徴とする携帯電話機。
【請求項５】
携帯電話機において、電池電圧の低下による前記携帯電話機のシャットダウン後、特殊電源立上げを開始させることが可能な入力部（１）と、
前記入力部によって前記特殊電源立上げが開始されると、遭難信号を生成する遭難信号生成部（２、３）と、
前記遭難信号を遭難信号用送信波に変換する遭難信号用無線部（２３）と、
前記遭難信号用送信波を送信する遭難信号用アンテナ部（２５）と、
前記遭難信号以外の送信信号を別の送信波に変換する別の無線部（２２）と、
前記別の送信波を送信する別のアンテナ部（２４）とを有することを特徴とする携帯電話機。
【請求項６】
請求項５に記載の携帯電話機において、
前記入力部は、前記電池電圧の低下後であって前記携帯電話機のシャットダウンが行われる前であっても、前記携帯電話機に前記電池電圧の低下が生じていないときであっても、前記特殊電源立上げを開始させることが可能であることを特徴とする携帯受信機。
【請求項７】
請求項５に記載の携帯電話機において、
前記遭難信号用送信波は、低周波を有し、
前記別の送信波は、高周波を有するものであることを特徴とする携帯電話機。
【発明の詳細な説明】
【０００１】
【発明の属する技術分野】
本発明は、携帯電話機に関し、特に、緊急時に現在地を連絡するために構成された携帯電話機に関するものである。
【０００２】
【従来の技術】
近年では、不慮の事故により、自分の所在を連絡したり、救助を呼ぶ場合など、携帯電話機は最も重要な手段になっている。このような、携帯電話機は、一般的に、緊急時には、警察（１１０番）や、消防署（１１９番）などの施設に直接電話するなどの方法はあるが、携帯電話機の圏外の場合や、電池電圧の低下により携帯電話機の電源が入らない場合など、自分の所在を連絡することができない場合が発生する。このため緊急時には、携帯電話機の通常の使用方法とは、別に、緊急時用の動作をすることが要求されている。
【０００３】
この要請に応えるために、例えば、特開２００１−３２０４７８公報に開示の技術が提案されている。すなわち、携帯電話機の電池電圧が低下して、携帯電話機が低電圧検出を行ってから、携帯電話機がシャットダウン（電源遮断）を行うまでの猶予期間中には、通常の携帯電話機の場合、携帯電話機が、低電圧検出を行った後は、送信を行わない。しかし、この公報では、上記猶予期間中において、緊急発信の場合は、携帯電話機のシャットダウンを行う制御に割り込み、緊急発信を行うことを可能にしている。
【０００４】
【発明が解決しようとする課題】
しかしながら、この公報に開示された手法でも、シャットダウンが行われた後は、緊急発信を行うことは不可能である。
【０００５】
また、上記公報に開示された手法では、シャットダウンする前の上記猶予期間中であれば、通話圏内の場合は、緊急発信を行い、救助を呼ぶことが可能であるが、圏外の場合は、発信しても希望の場所に繋がらず、シャットダウン制御が行われてしまいい、携帯電話の電源が入らなくなってしまう。端末にＧＰＳ（Ｇｌｏｂａｌ　Ｐｏｓｉｔｉｏｎｉｎｇ　Ｓｙｓｔｅｍ）等の位置検索を可能にする構成を有していないため、シャットダウン後は自分の場所を、連絡することができなくなる。
【０００６】
本発明の目的は、低電圧検出によるシャットダウン後も、位置検索を可能にした構成を持つ携帯電話機を提供することにある。
【０００７】
【課題を解決するための手段】
本発明による携帯電話機は、以下のとおりである。
【０００８】
（１）　携帯電話機において、電池電圧の低下による前記携帯電話機のシャットダウン後、特殊電源立上げを開始させることが可能な入力部と、
前記入力部によって前記特殊電源立上げが開始されると、遭難信号を生成する遭難信号生成部と、
前記遭難信号を、該遭難信号以外の送信信号の送信パスとは別のパスを介して送信波として送信する送信部とを有することを特徴とする携帯電話機。
【０００９】
（２）　上記（１）に記載の携帯電話機において、
前記入力部は、前記電池電圧の低下後であって前記携帯電話機のシャットダウンが行われる前であっても、前記携帯電話機に前記電池電圧の低下が生じていないときであっても、前記特殊電源立上げを開始させることが可能であることを特徴とする携帯受信機。
【００１０】
（３）　上記（１）に記載の携帯電話機において、
前記送信部は、前記遭難信号を低周波信号に周波数変換する周波数変換部を含み、前記低周波信号を前記別のパスを介して前記送信波として送信することを特徴とする携帯電話機。
【００１１】
（４）　上記（１）に記載の携帯電話機において、
前記送信パスは、前記送信信号を増幅するパワーアンプ部を含むことを特徴とする携帯電話機。
【００１２】
（５）　携帯電話機において、電池電圧の低下による前記携帯電話機のシャットダウン後、特殊電源立上げを開始させることが可能な入力部と、
前記入力部によって前記特殊電源立上げが開始されると、遭難信号を生成する遭難信号生成部と、
前記遭難信号を遭難信号用送信波に変換する遭難信号用無線部と、
前記遭難信号用送信波を送信する遭難信号用アンテナ部と、
前記遭難信号以外の送信信号を別の送信波に変換する別の無線部と、
前記別の送信波を送信する別のアンテナ部とを有することを特徴とする携帯電話機。
【００１３】
（６）　上記（５）に記載の携帯電話機において、
前記入力部は、前記電池電圧の低下後であって前記携帯電話機のシャットダウンが行われる前であっても、前記携帯電話機に前記電池電圧の低下が生じていないときであっても、前記特殊電源立上げを開始させることが可能であることを特徴とする携帯受信機。
【００１４】
（７）　上記（５）に記載の携帯電話機において、
前記遭難信号用送信波は、低周波を有し、
前記別の送信波は、高周波を有するものであることを特徴とする携帯電話機。
【００１５】
【発明の実施の形態】
次に本発明の実施例について図面を参照して説明する。
【００１６】
本発明は、電池パックを有する携帯電話機において、電池電圧の低下による携帯電話機のシャットダウン後でも、現在位置を検索できるような遭難信号を発信できるような構成を設けたことを特徴としている。
【００１７】
遭難信号を発信する構成として、携帯電話機内で最も電流を消費する送信信号の増幅用のパワーアンプを使用しないで、送信を確立する構成を設けている。
【００１８】
また通常、通話で使用している高周波帯域を使用しないで、１００ＭＨｚから５００ＭＨｚ程度の低周波を使用して送信する。
【００１９】
従って、消費電流の激しいデバイスを使用しないために、長時間の信号送信を可能にし、低周波を使用することで、広範囲に少ない電力で信号を発信することを可能にしたという効果が得られる。
【００２０】
図１を参照すると、本発明の第１の実施例による携帯電話機は、キーマトリクス１を有する。このキーマトリクス１は、ユーザーが当該携帯電話機に各種の入力を行うためのものである。このキーマトリクス１からは、当該携帯電話機がシャットダウン後、遭難信号発信用の特殊電源立上げを行うことが可能である。特殊電源立上げは、例えば、電源キーと通話キーを同時に押すなどの通常電源立上げ時に行わない操作を行うことによって行う。
【００２１】
この携帯電話機は、更に、遭難信号検出部２を有する。この遭難信号検出部２は、キーマトリクス１から、遭難信号発信用の特殊電源立上げが行われたか否かを検出するものである。この遭難信号検出部２は、キーマトリクス１から遭難信号発信用の特殊電源立上げが行われると、携帯電話機の電源を立上げる動作を行うよう、制御部３に、信号ＩＲＱ０を送る。
【００２２】
この携帯電話機は、更に、携帯電話機の内部に電源を供給するバッテリー４を有する。このバッテリー４としては、例えば充電式のバッテリーが用いられる。低電圧検出部５は、バッテリー４が出力する電圧をモニターし、低電圧状態を検出する。この低電圧状態とは、バッテリー４の出力電圧が、所定のしきい値以下に低下した状態のことを意味する。なお、この所定のしきい値は、携帯電話機が内蔵する回路の最低動作保証電圧よりも高い値に設定される。低電圧検出部５は、低電圧状態を検出すると、信号ＩＲＱ１を出力する。
【００２３】
制御部３は、割り込み制御部６、ＣＰＵ（Ｃｅｎｔｒａｌ　Ｐｒｏｃｅｓｓｉｎｇ　Ｕｎｉｔ）７、無線制御部８、装置制御部９を含む。割り込み制御部６は、遭難信号検出部２が出力する信号ＩＲＱ０、低電圧検出部５が出力する信号ＩＲＱ１を入力信号として受け、これらの入力信号に応じて、最優先割り込み信号ＮＭＩ及び汎用割り込み信号ＩＲＱを出力する。
【００２４】
具体的には、この割り込み制御部６は、遭難信号検出部２が出力する信号ＩＲＱ０が入力された場合は、この入力信号を最優先割り込み信号ＮＭＩとして出力し、低電圧検出部５からの信号ＩＲＱ１が入力された場合は、この入力を汎用割り込み信号ＩＲＱとして出力する。
【００２５】
ＣＰＵ７は、割り込み制御部６が出力する最優先割り込み信号ＮＭＩ及び汎用割り込み信号ＩＲＱに応答する。詳細には、ＣＰＵ７は、汎用割り込み信号ＩＲＱとして、低電圧検出部５が出力した信号ＩＲＱ１を受けると、ＣＰＵ７は、装置制御部９に低電圧アラーム動作を行うように信号を送信する。ＣＰＵ７は、装置制御部９に低電圧アラーム動作を指示してから所定時間経過しても、携帯電話機のユーザーが、携帯電話機の電源を切らない場合は、強制的に携帯電話機の電源を落とす（シャットダウンする）。
【００２６】
また、ＣＰＵ７は、最優先割り込み信号ＮＭＩとして、遭難信号検出部２から出力した信号ＩＲＱ０を受けると、ＣＰＵ７は、汎用割り込み信号ＩＲＱの有無にかかわらず、無線制御部８に送信指令信号を送る。
【００２７】
無線制御部８は、この送信指令信号に応答して、遭難信号が送信されるように、無線部１０を制御する。
【００２８】
図２を参照すると、無線部１０は、受信部１１、変調部１２、周波数変換部１３、ローカル周波数発振部１４、パワーアンプ部１５、アンテナ部１６、送受切替スイッチ１７、パス切替スイッチ１８、フィルタ１９から構成されている。
【００２９】
図１において、上述したように、遭難信号検出部２の出力信号ＩＲＱ０を受けたＣＰＵ７は、無線部制御部８に送信指令信号を送信して、無線部制御部８は、無線部１０を遭難信号が送信されるように制御する。
【００３０】
図２おいて、無線部制御部８からの制御により無線部１０の変調部１２が遭難信号情報に変調をかける。遭難信号情報がのった変調波は、周波数変換部１３により、１００ＭＨｚから５００ＭＨｚ程度の低周波の周波数に変換され出力される。低周波に周波数変換された遭難信号は、パス切替スイッチ１８により、通常の送信信号のパス（パワーアンプ部１５を含むパス）とは別の遭難信号用のパスを通る。
【００３１】
パス切替スイッチ１８によって遭難信号用のパスを通ってきた遭難信号は、フィルタ１９によって不用の周波数成分を減衰される。フィルタリングされた、遭難信号は、送受切替スイッチ１７を通ってアンテナ部１６から送信される。
【００３２】
次に、図１の携帯電話機の動作について説明する。
【００３３】
まず、遭難信号制御の動作について図３の流れ図をも用いて説明する。
【００３４】
キーマトリクス１よりユーザーが電源投入を行う（ステップＳ１）。遭難信号検出部２では、キーマトリクス１からの信号が、遭難信号発信用の特殊電源立上げがされた信号か通常のキー操作による信号かを監視していて、遭難信号発信用の特殊電源立上げを検出した場合は、割り込み制御部６に信号を送信する（ステップＳ２）。割り込み制御部６は、低電圧検出部５からの低電圧信号の有無によらず、ＣＰＵ７に、遭難信号発信用の信号を送信する（ステップＳ３）。遭難信号発信用の信号を受けたＣＰＵ７は無線制御部８に遭難信号発信用の信号を送り、遭難信号発信用の信号を受けた無線制御部８は、遭難信号発信動作をするように、無線部１０を制御する（ステップＳ４）。なお、ステップＳ２において通常電源立上げが確認された場合は、低電圧検出部５よりの信号により、通常の動作を行う。すなわち、低電圧信号ＩＲＱ１ありの場合はシャットダウンを行い、低電圧信号ＩＲＱ１無しの場合は、低電圧信号ＩＲＱ１の待受け動作を行う。
【００３５】
次に、図２の無線部１０の動作について図４の流れ図をも参照して説明する。
【００３６】
遭難信号発信用の制御を行う無線制御部８からは、遭難信号の情報、送信部の電源制御が行われる（ステップＳ１１）。その制御を受けた無線部１０では、変調部１２よって遭難信号の情報に変調をかける（ステップＳ１２）。変調波は、周波数変換部１３よって遭難信号用に割り振られた周波数に変調波の周波数を変換する（ステップＳ１３）。
【００３７】
また、周波数変換部１３は、増幅器も内蔵していて、安定した電力に増幅して出力を行う。周波数変換に必要な周波数成分は、ローカル周波数発振部１４によって生成され、周波数変換部１３に入力される。周波数変換された信号は、パス切替スイッチ１８によって通常の送信波とは、別の遭難信号パスを通る（ステップＳ１４）。パス切替スイッチ１８は、ＣＰＵ７からの遭難信号発信を行うよう信号を受けた、無線制御部８からの制御により切替えられる。その後、フィルタ１９によって、希望周波数成分以外の周波数成分を減衰させる（ステップＳ１５）。不要な周波数成分を除去した、遭難信号情報が送受切替えスイッチ１７を通り、アンテナ部１６より外部へ送信される（ステップＳ１６）。なお、通常の送信波は、パワーアンプ部１５を含む通常送信パスを通って送信される（ステップＳ１４及びステップＳ１７）。
【００３８】
このように、本実施例では、電池残量が減ったため携帯電話機のシャットダウンの状態になった場合でも特殊電源立上げにより、遭難信号発信用の発信機として携帯電話機を使用することができる。また、遭難信号発信用の発信機として携帯電話機を使用する際に、最も電池の消耗が激しい送信信号増幅用のパワーアンプ部１５を使用しないので、少ない電池残量でも、長時間の発信が可能となる。
【００３９】
さらに、本実施例では、遭難信号発信用の発信周波数として、高周波を使わず、少ない電力で広範囲に送信可能な低周波を使用しているため、通話圏外、圏内問わず、緊急遭難時には発見される確率は高くなるという効果もある。
【００４０】
なお、上記実施例では、シャットダウン後の動作に関して説明を行ったが、シャットダウン前でも、特殊電源立上げを行うことで、遭難信号発信モードに移行する。
【００４１】
次に図５を参照して、本発明の第２の実施例による携帯電話機について説明する。
【００４２】
図５に示した実施例の基本的構成は上記の通りであるが、本実施例では、遭難信号発信時間をのばすために、さらに工夫している。
【００４３】
図５において、制御部３は、前記第１の実施例で説明した、キーマトリクス１（図１）からの特殊電源立上げを受けて遭難信号発信を行うための信号処理、及び遭難信号用無線部２３に対して遭難信号送信の制御を行う。遭難信号用無線部２３は、遭難信号発信用の無線部である。通常無線部２２は、制御部３の制御下で、通常の携帯電話での通話を行う。通常無線部２２が送信する信号は、高周波信号である。通常無線部２２及び遭難信号用無線部２３はそれぞれ通常アンテナ部２４及び遭難信号用アンテナ部２５に接続されている。本実施例では、第１の実施例と違い、遭難信号送信用の専用の遭難信号用無線部２３と遭難信号用アンテナ部２５を持っている。
【００４４】
従って、この構成を用いた遭難信号発信の動作は、以下のようになる。即ち、特殊電源立上げから、制御部３の無線制御部８（図１）が遭難信号用無線部２３に対して制御信号を送る流れまでは同様なので、ここでは詳細は示さないが、キーマトリクス１から特殊電源立上げが行われ無線制御部８から、遭難信号用無線部２３に遭難信号発信の制御が行われる。次に、遭難信号用無線部２３では、あらかじめ決められた、遭難信号のパターンを、一定の周波数（１００ＭＨｚから５００ＭＨｚ程度の低周波）で発信するもので制御部３よりの制御があった場合は、遭難信号発信動作を続ける。
【００４５】
遭難信号用無線部２３から出力された信号は、遭難信号用アンテナ部２５に入力され、外部に出力される。この際、制御部３から遭難信号用無線部２３への制御をおこなった後は、制御部３が各ブロックの電源を切る用に制御して、電池消費を押さえるようにしている。
【００４６】
このため、本実施例では、遭難信号用アンテナ部２５を通常使っている通常アンテナ部２４とは分けたので、遭難信号発信で使用している周波数に合わせたもののため、送信出力電力も向上する。さらに、遭難信号発信中は、遭難信号用無線部２３のみ動作して、それ以外のブロックはシャットダウンしているので、電池消費時間が長くなる効果もある。
【００４７】
【発明の効果】
以上説明したように本発明によれば、低電圧検出によるシャットダウン後も、位置検索を可能にした構成を持つ携帯電話機が得られる。
【図面の簡単な説明】
【図１】本発明の第１の実施例による携帯電話機のブロック図である。
【図２】図１の携帯電話機の無線部のブロック図である。
【図３】図１の携帯電話機の遭難信号制御動作を説明するためのフローチャートである。
【図４】図２の無線部の動作を説明するためのフローチャートである。
【図５】本発明の第２の実施例による携帯電話機のブロック図である。
【符号の説明】
１　　キーマトリクス
２　　遭難信号検出部
３　　制御部
４　　バッテリー
５　　低電圧検出部
６　　割り込み制御部
７　　ＣＰＵ
８　　無線制御部
９　　装置制御部
１０　　無線部
１１　　受信部
１２　　変調部
１３　　周波数変換部
１４　　ローカル周波数発振部
１５　　パワーアンプ部
１６　　アンテナ部
１７　　送受切替スイッチ
１８　　パス切替スイッチ
１９　　フィルタ
２２　　通常無線部
２３　　遭難信号用無線部
２４　　通常アンテナ部
２５　　遭難信号用アンテナ部
【図１】
2004078455.tif 000003
【図２】
2004078455.tif 000004
【図３】
2004078455.tif 000005
【図４】
2004078455.tif 000006
【図５】
2004078455.tif 000007